(57)【要約】【課題】  膨大なデータや熟練を要することなく、精度の高い測色的色再現を実行することが可能な色変換処理方法を提供すること。【解決手段】  測色的色再現を実行するための色変換処理方法であって、カラー画像を画像入力装置３により読み取って得たカラー画像の読取Ｒ、Ｇ、Ｂデータと、カラーマトリックス演算係数とを乗算することにより、出力Ｒ、Ｇ、Ｂデータ演算する。このとき、読取Ｒ、Ｇ、Ｂデータの色成分が、一時色Ｒ、Ｇ、Ｂと、一時色の二次項Ｒ2 、Ｇ2 、Ｂ2 と、二次色Ｒ・Ｇ、Ｇ・Ｂ、Ｂ・Ｒと、三次色Ｒ・Ｇ・Ｂを含む【選択図】        図１
2009118029.tif 000002
【特許請求の範囲】
【請求項１】
カラー画像を画像入力装置により読み取って得たカラー画像の読取Ｒ、Ｇ、Ｂデータを色変換処理する、測色的色再現を実行するための色変換処理方法であって、
前記読取Ｒ、Ｇ、Ｂデータの色成分が、一時色Ｒ、Ｇ、Ｂと、一時色の二次項Ｒ2 、Ｇ2 、Ｂ2 と、二次色Ｒ・Ｇ、Ｇ・Ｂ、Ｂ・Ｒと、三次色Ｒ・Ｇ・Ｂを含むことを特徴とする色変換処理方法。
【請求項２】
カラー画像を画像入力装置により読み取って得たカラー画像の読取Ｒ、Ｇ、Ｂデータと、カラーマトリックス演算係数とを乗算することにより、出力Ｒ、Ｇ、Ｂデータ演算する、測色的色再現を実行するための色変換処理方法であって、
前記読取Ｒ、Ｇ、Ｂデータの色成分が、一時色Ｒ、Ｇ、Ｂと、一時色の二次項Ｒ2 、Ｇ2 、Ｂ2 と、二次色Ｒ・Ｇ、Ｇ・Ｂ、Ｂ・Ｒと、三次色Ｒ・Ｇ・Ｂを含むことを特徴とする色変換処理方法。
【請求項３】
請求項２に記載の色変換処理方法において、
前記画像入力装置により色票を読み取って得た読取データと、測色機により上記色票を測色して得た測色データとを比較する比較工程を、複数の色票に対して繰り返して実行することにより、前記カラーマトリックス演算係数を決定する色変換処理方法。
【請求項４】
請求項３に記載の色変換処理方法において、
前記比較工程を特定の色域の色票に対して多数回繰り返すことにより、その色域の変換処理精度を向上させる色変換処理方法。
【請求項５】
請求項３または請求項４に記載の色変換処理方法において、
前記比較工程を実行した後に、非線形補正を実行することなく、読取Ｒ、Ｇ、Ｂデータとカラーマトリックス演算係数とを乗算する色変換処理方法。
【発明の詳細な説明】
【技術分野】
【０００１】
この発明は、カラー画像を画像入力装置により読み取って得たカラー画像の読取Ｒ、Ｇ、Ｂデータを色変換処理する色変換処理方法に関する。
【背景技術】
【０００２】
ＣＣＤカメラを利用したカラースキャナ等の画像入力装置によりカラー画像を読み取るときには、ＣＣＤカメラ等の入出力特性を補正して、好ましい出力値を得るために色変換処理が実行される。この色変換処理は、一般的には、予めチャート等と呼称される色票を測色機で測色して得た実際の色データをターゲット値とし、画像入力装置の出力値がターゲット値に近づくような係数を求めることにより行っている。
【０００３】
また、特許文献１には、この色変換処理の精度を向上させるために、カラー画像をスキャナ系で読み取り入力色信号を生成し、マトリクス変換回路で粗調整をしてマトリクス変換を施した変換値を得、さらに、高次非線形補正回路で高次非線形を補正する色補正装置が開示されている。そして、この特許文献１に記載の色補正装置においては、読取データの色成分として、一時色と、一時色の二次項と、二次色とが使用されている。
【特許文献１】特開平６−２６８８５４号公報
【発明の開示】
【発明が解決しようとする課題】
【０００４】
特許文献１に記載の色補正装置においては、画像入力装置の出力値と実際の色値との色差を小さくするために、高次非線形補正回路を使用して非線形補正を行っている。そして、この非線形補正を行うために、補完演算を実行している。しかしながら、このような演算を行うためには、膨大な実験やデータが必要となるばかりではなく、色補正についての熟練が必要となる。
【０００５】
また、一般に、特許文献１に記載された色補正装置を含む色変換処理においては、通常、最終的な仕上がり画像を如何に美しくするかという点に重点を置いて色変換がなされる。すなわち、特許文献１に記載された色補正装置においては、高次元非線形補正は、最終的な印刷物等が最も美しくなるような補正を行うためのものとなる。
【０００６】
これに対して、例えば、文化財のデジタルアーカイブを行う場合には、測色的色再現が必要となる。この測色的色再現は、最終的な印刷物等の見栄えではなく、如何に実物に近い色を再現するのかが重要となる。このようなデジタルアーカイブを行う場合には、色差を小さくするためであっても、特許文献１に記載された非線形補正を行うことは好ましくない。
【０００７】
この発明は上記課題を解決するためになされたものであり、膨大なデータや熟練を要することなく、精度の高い測色的色再現を実行することが可能な色変換処理方法を提供することを目的とする。
【課題を解決するための手段】
【０００８】
請求項１に記載の発明は、カラー画像を画像入力装置により読み取って得たカラー画像の読取Ｒ、Ｇ、Ｂデータを色変換処理する、測色的色再現を実行するための色変換処理方法であって、前記読取Ｒ、Ｇ、Ｂデータの色成分が、一時色Ｒ、Ｇ、Ｂと、一時色の二次項Ｒ2 、Ｇ2 、Ｂ2 と、二次色Ｒ・Ｇ、Ｇ・Ｂ、Ｂ・Ｒと、三次色Ｒ・Ｇ・Ｂを含むことを特徴とする。
【０００９】
請求項２に記載の発明は、カラー画像を画像入力装置により読み取って得たカラー画像の読取Ｒ、Ｇ、Ｂデータと、カラーマトリックス演算係数とを乗算することにより、出力Ｒ、Ｇ、Ｂデータ演算する、測色的色再現を実行するための色変換処理方法であって、前記読取Ｒ、Ｇ、Ｂデータの色成分が、一時色Ｒ、Ｇ、Ｂと、一時色の二次項Ｒ2 、Ｇ2 、Ｂ2 と、二次色Ｒ・Ｇ、Ｇ・Ｂ、Ｂ・Ｒと、三次色Ｒ・Ｇ・Ｂを含むことを特徴とする。
【００１０】
請求項３に記載の発明は、請求項２に記載の発明において、前記画像入力装置により色票を読み取って得た読取データと、測色機により上記色票を測色して得た測色データとを比較する比較工程を、複数の色票に対して繰り返して実行することにより、前記カラーマトリックス演算係数を決定する。
【００１１】
請求項４に記載の発明は、請求項３に記載の発明方法において、前記比較工程を特定の色域の色票に対して多数回繰り返すことにより、その色域の変換処理精度を向上させる。
【００１２】
請求項５に記載の発明は、請求項３または請求項４に記載の発明において、前記比較工程を実行した後に、非線形補正を実行することなく、読取Ｒ、Ｇ、Ｂデータとカラーマトリックス演算係数とを乗算する。
【発明の効果】
【００１３】
請求項１および請求項２に記載の発明によれば、膨大なデータや熟練を要することなく、精度の高い測色的色再現を実行することが可能となる。
【００１４】
請求項３に記載の発明によれば、データの比較を複数の色票に対して繰り返して実行することで、熟練を要することなくカラーマトリックス演算係数を決定することが可能となる。
【００１５】
請求項４に記載の発明によれば、特定の色域の変換処理精度を容易に向上させることが可能となる。
【００１６】
請求項５に記載の発明によれば、文化財等のデジタルアーカイブを行う場合に、測色的色再現を行うことが可能となる。
【発明を実施するための最良の形態】
【００１７】
この発明に係る色変換処理方法においては、カラー画像をカラースキャナ等の画像入力装置により読み取って得たカラー画像の読取Ｒ（レッド）、Ｇ（グリーン）、Ｂ（ブルー）データの色成分として、一時色Ｒ、Ｇ、Ｂと、一時色の二次項Ｒ2 、Ｇ2 、Ｂ2 と、二次色Ｒ・Ｇ、Ｇ・Ｂ、Ｂ・Ｒと、三次色Ｒ・Ｇ・Ｂをを使用する。そして、画像入力装置の出力値をｒ、ｇ、ｂとした場合に、下記の式１に示すマトリクス演算を利用することにより、色変換処理を行う。ここで、Ａ10〜Ａ29は、カラーマトリックス演算係数を構成するマトリックス変換係数である。
【数１】
2009118029.tif 000003
【００１８】
つぎに、この発明に係る色変換処理方法の具体的工程について説明する。図１は、この発明に係る色変換処理方法を説明するためのブロック図である。
【００１９】
この発明に係る色変換処理方法においては、最初に、カラースキャナ等の画像入力装置３と測色機４とにより、カラーチャートにおける色票１の色データを測定する。そして、マトリックス演算係数算出部５が、画像入力装置３と測色機４とにより得た色データに基づいて、カラーマトリックス変換係数Ａ10〜Ａ29を算出する。そして、画像入力装置３は、算出後のマトリックス変換係数Ａ10〜Ａ29を用いたカラーマトリックス演算係数を利用して、色変換処理を実行する。
【００２０】
なお、画像入力装置３は、カラー画像や色票１を走査して得た画像データに対して後述するマトリックス演算を実行するためのマトリックス演算部２を備える。このマトリックス演算部２は、カラー画像を画像入力装置３により読み取って得たカラー画像の読取Ｒ、Ｇ、Ｂデータの色成分として、一時色Ｒ、Ｇ、Ｂと、一時色の二次項Ｒ2 、Ｇ2 、Ｂ2 と、二次色Ｒ・Ｇ、Ｇ・Ｂ、Ｂ・Ｒと、三次色Ｒ・Ｇ・Ｂを使用し、上述した式１に示すように、これにカラーマトリックス演算係数を乗算して、画像入力装置３の出力値をｒ、ｇ、ｂを得るものである。また、この画像入力装置３は、カラー画像を走査して得た画像データに対して、ガンマー処理等のその他の画像処理を実行する。
【００２１】
また、測色機４は、色票１について、例えば、Ｌ＊ａ＊ｂ空間で測色を行い、これを、例えば、ｓＲＧＢ等の色空間に変換して測色データとする。
【００２２】
カラーマトリックス変換係数Ａ10〜Ａ29を算出するためには、最初に、式１においてＡ10＝Ａ21＝Ａ32＝１とし、他のカラーマトリクス変換係数を０とした状態で、画像入力装置３により色票１を読み取ることにより、マトリックス演算がリニアな状態の色票１の読取データを得る。この読取データは、マトリックス演算係数算出部５に送られる。
【００２３】
また、測色機４により色票１を測色することにより、色票１の測色データを得る。この測色データも、マトリックス演算係数算出部５に送られる。
【００２４】
この色票１についての読取データと測色データとの取得は、互いに異なる複数の色票１に対して繰り返し実行される。そして、これらの読取データと測色データとは、セットとしてマトリックス演算係数算出部５に送られ、読取データを実測値、測色データをターゲット値として重回帰分析を実行することにより、カラーマトリックス変換係数Ａ10〜Ａ29を算出する。
【００２５】
このような読取データと測色データとの取得とこれらのデータを利用した重回帰分析を複数の色票１に対して繰り返し実行することにより、カラーマトリックス演算係数を構成するマトリックス変換係数Ａ10〜Ａ29を、熟練を要することなく、正確に決定することが可能となる。
【００２６】
なお、このときに、読取データと測色データとの取得とこれらのデータを利用した重回帰分析を特定の色域の色票に対して多数回繰り返すことにより、その色域の変換処理精度を向上させることが可能となる。すなわち、例えば、肌色に対してより正確な色変換処理を実行したい場合には、肌色に関する色票１を多数使用して読取データと測色データとの取得とこれらのデータを利用した重回帰分析を実行することにより、肌色に対してより正確な色変換処理が可能なカラーマトリックス演算係数を得ることが可能となる。
【００２７】
以上の準備工程により、カラーマトリックス変換係数Ａ10〜Ａ29が決定すれば、それ以降の色変換処理は、このカラーマトリックス変換係数Ａ10〜Ａ29を使用して実行される。
【００２８】
このときには、式１に示すように、画像入力装置３で読み取った読取Ｒ、Ｇ、Ｂデータの色成分として、一時色Ｒ、Ｇ、Ｂと、一時色の二次項Ｒ2 、Ｇ2 、Ｂ2 と、二次色Ｒ・Ｇ、Ｇ・Ｂ、Ｂ・Ｒと、三次色Ｒ・Ｇ・Ｂが使用される。このように、三次色Ｒ・Ｇ・Ｂを利用することにより、出力値ｒ、ｇ、ｂを目標の色空間に精度よくマッピングすることができる色変換を実行することが可能となる。
【００２９】
また、従来のように、非線形補正を行わなくても精度の高い色変換を実行することができることから、文化財のデジタルアーカイブを行う場合等において、測色的色再現を行うことが可能となる。
【図面の簡単な説明】
【００３０】
【図１】この発明に係る色変換処理方法を説明するためのブロック図である。
【符号の説明】
【００３１】
１      色票
２      マトリックス演算部
３      画像入力装置
４      測色機
５      マトリックス演算係数算出部
【図１】
2009118029.tif 000004